(57)【要約】【課題】  植え付け条数の変更にかかわらず移動式供給装置の供給作動を良好にする。【解決手段】  供給装置用駆動回路５６の左移動用回路部５８に直列に備えた各左移動用スイッチＬＳ１，ＬＳ２，ＬＳ３のうちの左端の植付作業部に対応する左移動用スイッチＬＳ３以外のものと、右移動用回路部５９に直列に備えた各右移動用スイッチＲＳ１，ＲＳ２，ＲＳ３のうちの右端の植付作業部に対応する右移動用スイッチＲＳ３以外のものとのそれぞれに、対応する補助クラッチの切り操作で非通電状態となる第１補助スイッチＳ１を並列に接続し、第１補助スイッチＳ１を並列に接続した各左移動用スイッチＬＳ１，ＬＳ２のうちの左端から２つ目の植付作業部に対応する左移動用スイッチＬＳ２以外のものと、各右移動用スイッチＲＳ１，ＲＳ２のうちの右端から２つ目の植付作業部に対応する右移動用スイッチＲＳ２以外のものとに第２補助スイッチＳ２を並列に接続した。【選択図】        図８
2005185229.tif 000002
【特許請求の範囲】
【請求項１】
苗載台に載置された複数条分の載置苗のそれぞれに対応して作動する複数の植え付け用作動機構を左右方向に並設した苗植付装置に、対応する植え付け用作動機構への伝動状態を切り換える補助クラッチを３つ以上備えて、前記苗植付装置を、その左右方向で、独立作動可能な３つ以上の植付作業部に区分するとともに、前記補助クラッチの操作で、全ての植付作業部を作動させる全条植え状態と、左側の所望数の植付作業部を作動させる左端数条植え状態と、右側の所望数の植付作業部を作動させる右端数条植え状態とに切り換え可能に構成し、
前記苗載台に対する左右方向への移動に伴って、作動する前記植付作業部の載置苗に対して供給作動を行うように構成された移動式の供給装置を装備してある乗用型田植機の供給装置駆動構造であって、
前記供給装置の駆動回路に、前記供給装置を左方向に移動させる左移動用回路部と、前記供給装置を右方向に移動させる右移動用回路部とを備え、
前記左移動用回路部には、前記供給装置の左方向への移動時に、対応する植付作業部に対する前記供給装置の移動が完了した際に通電状態から非通電状態に切り換えられる複数の左移動用スイッチを直列に装備し、
前記右移動用回路部には、前記供給装置の右方向への移動時に、対応する植付作業部に対する前記供給装置の移動が完了した際に通電状態から非通電状態に切り換えられる複数の右移動用スイッチを直列に装備し、
各左移動用スイッチと各右移動用スイッチのうち、左端の植付作業部に対応する左移動用スイッチと、右端の植付作業部に対応する右移動用スイッチとを除いた左移動用スイッチと右移動用スイッチのそれぞれには、通電状態と非通電状態とに切り換え可能な第１補助スイッチを並列に接続し、それらの第１補助スイッチのうち、前記左移動用スイッチに並列に接続される前記第１補助スイッチは、それらに並列に接続される前記左移動用スイッチに対応する植付作業部の左隣に位置する植付作業部の作動停止操作に連動して通電状態から非通電状態に切り換えられ、又、右移動用スイッチに並列に接続される第１補助スイッチは、それらに並列に接続される前記右移動用スイッチに対応する植付作業部の右隣に位置する植付作業部の作動停止操作に連動して通電状態から非通電状態に切り換えられるように構成し、
各左移動用スイッチと各右移動用スイッチのうち、左端の植付作業部に対応する左移動用スイッチと、左端から２つ目の植付作業部に対応する左移動用スイッチと、右端の植付作業部に対応する右移動用スイッチと、右端から２つ目の植付作業部に対応する左移動用スイッチとを除いた左移動用スイッチと右移動用スイッチのそれぞれには、通電状態と非通電状態とに切り換え可能で、かつ、対応する第１補助スイッチに並列に接続される第２補助スイッチを並列に接続してある乗用型田植機の供給装置駆動構造。
【請求項２】
各第２補助スイッチは、それらに並列に接続される前記左移動用スイッチ又は前記右移動用スイッチに対応する植付作業部の作動停止操作に連動して非通電状態から通電状態に切り換えられるように構成してある請求項１に記載の乗用型田植機の供給装置駆動構造。
【請求項３】
各補助クラッチが、２条分の植え付け用作動機構の伝動状態を切り換えるように構成してある請求項１又は２に記載の乗用型田植機の供給装置駆動構造。
【発明の詳細な説明】
【技術分野】
【０００１】
本発明は、苗載台に載置された複数条分の載置苗のそれぞれに対応して作動する複数の植え付け用作動機構を左右方向に並設した苗植付装置に、対応する植え付け用作動機構への伝動状態を切り換える補助クラッチを３つ以上備えて、前記苗植付装置を、その左右方向で、独立作動可能な３つ以上の植付作業部に区分するとともに、前記補助クラッチの操作で、全ての植付作業部を作動させる全条植え状態と、左側の所望数の植付作業部を作動させる左端数条植え状態と、右側の所望数の植付作業部を作動させる右端数条植え状態とに切り換え可能に構成し、前記苗載台に対する左右方向への移動に伴って、作動する前記植付作業部の載置苗に対して供給作動を行うように構成された移動式の供給装置を装備してある乗用型田植機の供給装置駆動構造に関する。
【背景技術】
【０００２】
本来より、乗用型田植機の苗植付装置は、苗載台に載置された複数条分の載置苗のそれぞれに対応して作動する複数の縦送り機構や植付機構などの植え付け用作動機構が左右方向に並設され、かつ、対応する植え付け用作動機構への伝動状態を切り換える複数の補助クラッチが装備されることで、その左右方向に、独立作動可能な複数の植付作業部に区分されるとともに、補助クラッチの操作で、全ての植付作業部を作動させる全条植え状態と、左側の所望数の植付作業部を作動させる左端数条植え状態と、右側の所望数の植付作業部を作動させる右端数条植え状態とが切り換え現出可能に構成されており、これによって、例えば、植え付け作業時に、畦際に苗を植え付ける最終の植え付け行程を全条植え状態で行えるようにするために、最終の植え付け行程を行う１つ前の植え付け行程での植え付け条数を、全条よりも少ない条数に調節する必要が生じた場合には、その植え付け条数の調節を補助クラッチの操作で簡単に行えるようになっている。
【０００３】
近年では、乗用型田植機に、苗植付装置の苗載台に対する左右方向への移動に伴って、その苗載台に載置した複数条分の載置苗に対して薬剤や肥料などを供給する移動式の供給装置を装備することが考えられているが、この場合、苗植付装置の全条植え状態と左右の端数条植え状態とにかかわらず、供給装置が苗載台の左右両端部にわたって移動するように構成すると、左右の端数条植え状態においては、植え付け対象外の載置苗に対する薬剤や肥料の供給が何度も繰り返して行われることから、薬剤や肥料が無駄に消費される上に、植え付け対象外の載置苗に対する薬剤や肥料の供給が過剰になって生育に悪影響を及ぼすようになる。
【０００４】
そこで従来では、苗載台に載置された４条分の載置苗のそれぞれに対応して作動する４つの苗縦送り機構（植え付け用作動機構の一例）と４つの植付機構（植え付け用作動機構の一例）とをそれぞれ左右方向に並設した苗植付装置に、対応する左右２条分ずつの苗縦送り機構と植付機構への伝動状態を切り換える２つの補助クラッチを備えて、苗植付装置を、２条ずつで独立作動可能な左右２つの植付作業部に区分するとともに、各補助クラッチの操作で、左右の各植付作業部を作動させる４条植え状態と、左側の植付作業部を作動させる左２条植え状態と、右側の植付作業部を作動させる右２条植え状態とに切り換え可能に構成した乗用型田植機において、苗載台に対する左右方向への移動に伴って、作動する植付作業部の載置苗に対して供給作動を行うように構成された移動式の供給装置を装備し、その供給装置の駆動回路に、供給装置を左方向に移動させる左移動用回路部と、供給装置を右方向に移動させる右移動用回路部とを備え、左移動用回路部には、供給装置の左方向への移動時に、供給装置が右側の植付作業部に対する移動を完了した際に通電状態から非通電状態に切り換えられる第１の左移動用スイッチと、供給装置が左側の植付作業部に対する移動を完了した際に通電状態から非通電状態に切り換えられる第２の左移動用スイッチとを直列に装備し、又、右移動用回路部には、供給装置の右方向への移動時に、供給装置が左側の植付作業部に対する移動を完了した際に通電状態から非通電状態に切り換えられる第１の右移動用スイッチと、供給装置が右側の植付作業部に対する移動を完了した際に通電状態から非通電状態に切り換えられる第２の右移動用スイッチとを直列に装備し、更に、第１の左移動用スイッチには、左側の植付作業部の作動を停止させる補助クラッチの切り操作に連動して通電状態から非通電状態に切り換えられる補助スイッチを、第１の右移動用スイッチには、右側の植付作業部の作動を停止させる補助クラッチの切り操作に連動して通電状態から非通電状態に切り換えられる補助スイッチをそれぞれ並列に接続することで、２つの補助クラッチを入り操作して左右の植付作業部を作動させる４条植え状態では、供給装置が、苗載台に載置された４条分の載置苗の全てに対して供給作動を行うように、各補助クラッチの操作状態に基づいて供給装置の移動範囲が変更され、又、その４条植え状態からいずれか一方の補助クラッチを切り操作して左右いずれか一方の植付作業部を作動停止させる２条植え状態では、供給装置が、作動する植付作業部に載置された植え付け対象の載置苗に対して供給作動を行うように、各補助クラッチの操作状態に基づいて供給装置の移動範囲が変更されるように構成して、植え付け対象の載置苗に対する供給作動を良好に行えるようにしながら、植え付け対象外の載置苗に対する供給作動が何度も繰り返して行われることを防止したものがある（例えば特許文献１参照）。
【特許文献１】特開２００３−１５３６１３号公報（段落番号００６０〜００７５、図２、図５、図７、図８、図１１〜１４）
【発明の開示】
【発明が解決しようとする課題】
【０００５】
上記のような従来構成に基づく供給装置の駆動回路は、２つの補助クラッチを備える４条植え用の苗植付装置を装備した乗用型田植機に採用した場合には、マイクロコンピュータを使用しない複数のスイッチを装備するだけの安価な構成でありながらも、左右いずれか一方の植付作業部を作動停止させる２条植え状態において、植え付け対象外の載置苗に対する供給作動が何度も繰り返して行われることに起因した薬剤や肥料の浪費、及び、植え付け対象外の載置苗に対する薬剤や肥料の過剰供給を回避できる。
【０００６】
ところで、例えば、３つの補助クラッチを備えて、２条ずつで独立作動可能な３つの植付作業部に左右方向で区分された６条植え用の苗植付装置を装備した乗用型田植機において、上記のような従来構成に基づく供給装置の駆動回路を採用すると、その駆動回路は図１９に示す構成となる。つまり、駆動回路５６の左移動用回路部５８には、供給装置の左方向への移動時に、供給装置が右側の植付作業部に対する移動を完了した際に通電状態から非通電状態に切り換えられる第１の左移動用スイッチＬＳ１と、供給装置が左右中央の植付作業部に対する移動を完了した際に通電状態から非通電状態に切り換えられる第２の左移動用スイッチＬＳ２と、供給装置が左側の植付作業部に対する移動を完了した際に通電状態から非通電状態に切り換えられる第３の左移動用スイッチＬＳ３とが直列に装備され、又、駆動回路の右移動用回路部５９には、供給装置の右方向への移動時に、供給装置が左側の植付作業部に対する移動を完了した際に通電状態から非通電状態に切り換えられる第１の右移動用スイッチＲＳ１と、供給装置が左右中央の植付作業部に対する移動を完了した際に通電状態から非通電状態に切り換えられる第２の右移動用スイッチＲＳ２と、供給装置が右側の植付作業部に対する移動を完了した際に通電状態から非通電状態に切り換えられる第３の右移動用スイッチＲＳ３とが直列に装備され、更に、第１の左移動用スイッチＬＳ１には、左右中央の植付作業部の作動を停止させる補助クラッチの切り操作に連動して通電状態から非通電状態に切り換えられる補助スイッチＳ１ａが、第２の左移動用スイッチＬＳ２には、左側の植付作業部の作動を停止させる補助クラッチの切り操作に連動して通電状態から非通電状態に切り換えられる補助スイッチＳ１ｂが、第１の右移動用スイッチＲＳ１には、左右中央の植付作業部の作動を停止させる補助クラッチの切り操作に連動して通電状態から非通電状態に切り換えられる補助スイッチＳ１ｚが、第２の右移動用スイッチＲＳ２には、右側の植付作業部の作動を停止させる補助クラッチの切り操作に連動して通電状態から非通電状態に切り換えられる補助スイッチＳ１ｙが、それぞれ並列に接続されることになる。
【０００７】
そのため、２つの補助クラッチを切り操作して右側の植付作業部と左右中央の植付作業部とを作動停止させる左２条植え状態では、第１の左移動用スイッチＬＳ１に並列に接続される補助スイッチＳ１ａと、第１の右移動用スイッチＲＳ１に並列に接続される補助スイッチＳ１ｚと、第２の右移動用スイッチＲＳ２に並列に接続される補助スイッチＳ１ｙとが非通電状態となり、第２の左移動用スイッチＬＳ２に並列に接続される補助スイッチＳ１ｂのみが通電状態となる。
【０００８】
その結果、次の供給作動時に供給装置が右方向に移動する場合には、供給装置が、いずれかの植付作業部に対する右方向への移動を完了するまでの間は、供給装置を右方向に移動させる右移動用回路部５９が通電状態に維持され、供給装置が、いずれかの植付作業部に対する右方向への移動を完了すると、いずれかの右移動用スイッチＲＳ１〜ＲＳ３が通電状態から非通電状態に切り換えられ、その切り換えに伴って、右移動用回路部５９が通電状態から非通電状態に切り換わることから、供給装置は、いずれかの植付作業部に対する右方向への移動を完了した段階で停止する。逆に、次の供給作動時に供給装置が左方向に移動する場合には、供給装置が、右側の植付作業部に対する左方向への移動、又は、左側の植付作業部に対する左方向への移動を完了するまでの間は、供給装置を左方向に移動させる左移動用回路部５８が通電状態に維持され、供給装置が、右側の植付作業部に対する左方向への移動、又は、左側の植付作業部に対する左方向への移動を完了すると、右側の植付作業部に対応する第１の左移動用スイッチＬＳ１、又は、左側の植付作業部に対応する第３の左移動用スイッチＬＳ３が通電状態から非通電状態に切り換えられ、その切り換えに伴って、左移動用回路部５８が通電状態から非通電状態に切り換わることから、供給装置は、右側の植付作業部に対する左方向への移動、又は、左側の植付作業部に対する左方向への移動を完了した段階で停止する。
【０００９】
つまり、供給装置が右側の植付作業部に対する移動完了位置で停止している場合に、苗植付装置の植え付け状態が左２条植え状態に切り換えられると、供給装置は、作動停止する右側の植付作業部に載置された植え付け対象外の載置苗に対する供給作動のみを行うようになる。
【００１０】
又、これと同様に、供給装置が左側の植付作業部に対する移動完了位置で停止している場合に、苗植付装置の植え付け状態が右２条植え状態に切り換えられると、供給装置は、作動停止する左側の植付作業部に載置された植え付け対象外の載置苗に対する供給作動のみを行うようになる。
【００１１】
要するに、３つ以上の補助クラッチを備えた複数条植え用の苗植付装置を装備した乗用型田植機において、上記のような従来構成に基づく供給装置の駆動回路を採用すると、苗植付装置の植え付け状態を、左右のいずれか一端から２つ以上の植付作業部を作動停止させる端数条植え状態に切り換えた場合には、そのときの供給装置の停止位置によっては、供給装置が、作動停止する植付作業部に載置された植え付け対象外の載置苗に対してのみ供給作動を行い、作動する植付作業部に載置された植え付け対象の載置苗に対しては供給作動を行わないようになる不具合を招くことがあり、このような不具合が生じると、供給装置から供給される薬剤や肥料が無駄に消費される上に、植え付け対象外の載置苗には薬剤や肥料が過剰供給されることにより、又、植え付け対象の載置苗には薬剤や肥料が一切供給されないことにより、それらの各載置苗の植え付け後の生育に悪影響を及ぼすようになる。
【００１２】
本発明の目的は、３つ以上の補助クラッチを備えた複数条植え用の苗植付装置を装備した乗用型田植機において、苗植付装置の全条植え状態と端数条植え状態とにかかわらず、移動式の供給装置による苗植付装置の載置苗に対する供給作動を良好に行えるようにすることにある。
【課題を解決するための手段】
【００１３】
上記の課題を解決するための手段として、本発明では、苗載台に載置された複数条分の載置苗のそれぞれに対応して作動する複数の植え付け用作動機構を左右方向に並設した苗植付装置に、対応する植え付け用作動機構への伝動状態を切り換える補助クラッチを３つ以上備えて、前記苗植付装置を、その左右方向で、独立作動可能な３つ以上の植付作業部に区分するとともに、前記補助クラッチの操作で、全ての植付作業部を作動させる全条植え状態と、左側の所望数の植付作業部を作動させる左端数条植え状態と、右側の所望数の植付作業部を作動させる右端数条植え状態とに切り換え可能に構成し、前記苗載台に対する左右方向への移動に伴って、作動する前記植付作業部の載置苗に対して供給作動を行うように構成された移動式の供給装置を装備してある乗用型田植機の供給装置駆動構造において、前記供給装置の駆動回路に、前記供給装置を左方向に移動させる左移動用回路部と、前記供給装置を右方向に移動させる右移動用回路部とを備え、前記左移動用回路部には、前記供給装置の左方向への移動時に、対応する植付作業部に対する前記供給装置の移動が完了した際に通電状態から非通電状態に切り換えられる複数の左移動用スイッチを直列に装備し、前記右移動用回路部には、前記供給装置の右方向への移動時に、対応する植付作業部に対する前記供給装置の移動が完了した際に通電状態から非通電状態に切り換えられる複数の右移動用スイッチを直列に装備し、各左移動用スイッチと各右移動用スイッチのうち、左端の植付作業部に対応する左移動用スイッチと、右端の植付作業部に対応する右移動用スイッチとを除いた左移動用スイッチと右移動用スイッチのそれぞれには、通電状態と非通電状態とに切り換え可能な第１補助スイッチを並列に接続し、それらの第１補助スイッチのうち、前記左移動用スイッチに並列に接続される前記第１補助スイッチは、それらに並列に接続される前記左移動用スイッチに対応する植付作業部の左隣に位置する植付作業部の作動停止操作に連動して通電状態から非通電状態に切り換えられ、又、右移動用スイッチに並列に接続される第１補助スイッチは、それらに並列に接続される前記右移動用スイッチに対応する植付作業部の右隣に位置する植付作業部の作動停止操作に連動して通電状態から非通電状態に切り換えられるように構成し、各左移動用スイッチと各右移動用スイッチのうち、左端の植付作業部に対応する左移動用スイッチと、左端から２つ目の植付作業部に対応する左移動用スイッチと、右端の植付作業部に対応する右移動用スイッチと、右端から２つ目の植付作業部に対応する左移動用スイッチとを除いた左移動用スイッチと右移動用スイッチのそれぞれには、通電状態と非通電状態とに切り換え可能で、かつ、対応する第１補助スイッチに並列に接続される第２補助スイッチを並列に接続してある。
【００１４】
この構成によると、全ての補助クラッチを入り操作して全ての植付作業部を作動させる全条植え状態では、全ての第１補助スイッチが通電状態になることから、第２補助スイッチの状態にかかわらず、次の供給作動時に供給装置が右方向に移動する場合には、供給装置が右端の植付作業部に対する右方向への移動を完了するまでの間は、供給装置を右方向に移動させる右移動用回路部が通電状態に維持され、供給装置が右端の植付作業部に対する右方向への移動を完了すると、その右端の植付作業部に対応する右移動用スイッチが通電状態から非通電状態に切り換えられ、その切り換えに伴って、右移動用回路部が通電状態から非通電状態に切り換わり、よって、供給装置は、右端の植付作業部に対する右方向への移動を完了した段階で停止する。逆に、次の供給作動時に供給装置が左方向に移動する場合には、供給装置が左端の植付作業部に対する左方向への移動を完了するまでの間は、供給装置を左方向に移動させる左移動用回路部が通電状態に維持され、供給装置が左端の植付作業部に対する左方向への移動を完了すると、その左端の植付作業部に対応する左移動用スイッチが通電状態から非通電状態に切り換えられ、その切り換えに伴って、左移動用回路部が通電状態から非通電状態に切り換わり、よって、供給装置は、左端の植付作業部に対する左方向への移動を完了した段階で停止する。
【００１５】
つまり、供給装置は、全条植え状態での供給作動時には、右端の植付作業部に対する右方向での移動完了位置と左端の植付作業部に対する左方向での移動完了位置とにわたって移動することになる。
【００１６】
又、１つの補助クラッチを切り操作して右端の植付作業部を作動停止させる左端数条植え状態では、右端から２つ目の植付作業部に対応する右移動用スイッチに並列に接続された第１補助スイッチのみが非通電状態となり、他の第１補助スイッチは通電状態になることから、第２補助スイッチの状態にかかわらず、次の供給作動時に供給装置が右方向に移動する場合には、供給装置が、右端から２つ目の植付作業部に対する右方向への移動、又は、右端の植付作業部に対する右方向への移動を完了するまでの間は、右移動用回路部が通電状態に維持され、供給装置が、右端から２つ目の植付作業部に対する右方向への移動、又は、右端の植付作業部に対する右方向への移動を完了すると、その右端から２つ目の植付作業部に対応する右移動用スイッチ、又は、右端の植付作業部に対応する右移動用スイッチが通電状態から非通電状態に切り換えられ、その切り換えに伴って、右移動用回路部が通電状態から非通電状態に切り換わり、よって、供給装置は、右端から２つ目の植付作業部に対する右方向への移動、又は、右端の植付作業部に対する右方向への移動を完了した段階で停止する。逆に、次の供給作動時に供給装置が左方向に移動する場合には、供給装置が左端の植付作業部に対する左方向への移動を完了するまでの間は、左移動用回路部が通電状態に維持され、供給装置が左端の植付作業部に対する左方向への移動を完了すると、その左端の植付作業部に対応する左移動用スイッチが通電状態から非通電状態に切り換えられ、その切り換えに伴って、左移動用回路部が通電状態から非通電状態に切り換わり、よって、供給装置は、左端の植付作業部に対する左方向への移動を完了した段階で停止する。
【００１７】
つまり、供給装置は、右端の植付作業部を作動停止させる左端数条植え状態での供給作動時には、その供給作動を開始する際の停止位置にかかわらず、右端から２つ目の植付作業部に対する右方向での移動完了位置と、左端の植付作業部に対する左方向での移動完了位置とにわたって移動することになる。
【００１８】
又逆に、１つの補助クラッチを切り操作して左端の植付作業部を作動停止させる右端数条植え状態では、左端から２つ目の植付作業部に対応する左移動用スイッチに並列に接続された第１補助スイッチのみが非通電状態となり、他の第１補助スイッチは通電状態になることから、第２補助スイッチの状態にかかわらず、次の供給作動時に供給装置が右方向に移動する場合には、供給装置が右端の植付作業部に対する右方向への移動を完了するまでの間は、右移動用回路部が通電状態に維持され、供給装置が右端の植付作業部に対する右方向への移動を完了すると、その右端の植付作業部に対応する右移動用スイッチが通電状態から非通電状態に切り換えられ、その切り換えに伴って、右移動用回路部が通電状態から非通電状態に切り換わり、よって、供給装置は、右端の植付作業部に対する右方向への移動を完了した段階で停止する。逆に、次の供給作動時に供給装置が左方向に移動する場合には、供給装置が、左端から２つ目の植付作業部に対する左方向への移動、又は、左端の植付作業部に対する左方向への移動を完了するまでの間は、左移動用回路部が通電状態に維持され、供給装置が、左端から２つ目の植付作業部に対する左方向への移動、又は、左端の植付作業部に対する左方向への移動を完了すると、その左端から２つ目の植付作業部に対応する左移動用スイッチ、又は、左端の植付作業部に対応する左移動用スイッチが通電状態から非通電状態に切り換えられ、その切り換えに伴って、左移動用回路部が通電状態から非通電状態に切り換わり、よって、供給装置は、左端から２つ目の植付作業部に対する左方向への移動、又は、左端の植付作業部に対する左方向への移動を完了した段階で停止する。
【００１９】
つまり、供給装置は、左端の植付作業部を作動停止させる右端数条植え状態での供給作動時には、その供給作動を開始する際の停止位置にかかわらず、左端から２つ目の植付作業部に対する左方向での移動完了位置と、右端の植付作業部に対する右方向での移動完了位置とにわたって移動することになる。
【００２０】
更に、２つ以上の補助クラッチを切り操作して右端から２つ以上の植付作業部を作動停止させる左端数条植え状態では、作動停止する植付作業部の右隣に位置する植付作業部に対応する左移動用スイッチに並列に接続された第１補助スイッチと、作動停止する植付作業部の左隣に位置する植付作業部に対応する右移動用スイッチに並列に接続された第１補助スイッチとが非通電状態となり、他の第１補助スイッチは通電状態になることから、非通電状態となる第１補助スイッチに並列に接続された第２補助スイッチのうち、作動停止する植付作業部の左隣に位置する植付作業部のうちの最左端に位置する植付作業部（つまり、作動する植付作業部のうちの最右端に位置する植付作業部）に対応する右移動用スイッチに並列に接続された第２補助スイッチのみを非通電状態とし、それ以外の第２補助スイッチを通電状態とすれば、次の供給作動時に供給装置が右方向に移動する場合には、供給装置が、作動している植付作業部のうちの最右端の植付作業部に対する右方向への移動、又は、作動停止しているいずれかの植付作業部に対する右方向への移動を完了するまでの間は、右移動用回路部が通電状態に維持され、供給装置が、作動最右端の植付作業部に対する右方向への移動、又は、作動停止しているいずれかの植付作業部に対する右方向への移動を完了すると、その作動最右端の植付作業部に対応する右移動用スイッチ、又は、作動停止している植付作業部のいずれかに対応する右移動用スイッチが通電状態から非通電状態に切り換えられ、その切り換えに伴って、右移動用回路部が通電状態から非通電状態に切り換わり、よって、供給装置は、作動最右端の植付作業部に対する右方向への移動、又は、作動停止しているいずれかの植付作業部に対する右方向への移動を完了した段階で停止する。逆に、次の供給作動時に供給装置が左方向に移動する場合には、供給装置が左端の植付作業部に対する左方向への移動を完了するまでの間は、左移動用回路部が通電状態に維持され、供給装置が左端の植付作業部に対する左方向への移動を完了すると、その左端の植付作業部に対応する左移動用スイッチが通電状態から非通電状態に切り換えられ、その切り換えに伴って、左移動用回路部が通電状態から非通電状態に切り換わり、よって、供給装置は、左端の植付作業部に対する左方向への移動を完了した段階で停止する。
【００２１】
つまり、供給装置は、右端から２つ以上の植付作業部を作動停止させる左端数条植え状態での供給作動時には、その供給作動を開始する際の停止位置にかかわらず、作動している植付作業部のうちの最右端の植付作業部に対する右方向での移動完了位置と、左端の植付作業部に対する左方向での移動完了位置とにわたって移動することになる。
【００２２】
又逆に、２つ以上の補助クラッチを切り操作して左端から２つ以上の植付作業部を作動停止させる右端数条植え状態では、作動停止する植付作業部の右隣に位置する植付作業部に対応する左移動用スイッチに並列に接続された第１補助スイッチと、作動停止する植付作業部の左隣に位置する植付作業部に対応する右移動用スイッチに並列に接続された第１補助スイッチとが非通電状態となり、他の第１補助スイッチは通電状態になることから、非通電状態となる第１補助スイッチに並列に接続された第２補助スイッチのうち、作動停止する植付作業部の右隣に位置する植付作業部のうちの最右端に位置する植付作業部（つまり、作動する植付作業部のうちの最左端に位置する植付作業部）に対応する左移動用スイッチに並列に接続された第２補助スイッチのみを非通電状態とし、それ以外の第２補助スイッチを通電状態とすれば、次の供給作動時に供給装置が右方向に移動する場合には、供給装置が右端の植付作業部に対する右方向への移動を完了するまでの間は、右移動用回路部が通電状態に維持され、その供給装置が右端の植付作業部に対する右方向への移動を完了すると、その右端の植付作業部に対応する右移動用スイッチが通電状態から非通電状態に切り換えられ、その切り換えに伴って、右移動用回路部が通電状態から非通電状態に切り換わり、よって、供給装置は、右端の植付作業部に対する右方向への移動を完了した段階で停止する。逆に、次の供給作動時に供給装置が左方向に移動する場合には、供給装置が、作動している植付作業部のうちの最左端の植付作業部に対する左方向への移動、又は、作動停止しているいずれかの植付作業部に対する左方向への移動を完了するまでの間は、左移動用回路部が通電状態に維持され、その供給装置が作動最左端の植付作業部に対する左方向への移動、又は、作動停止しているいずれかの植付作業部に対する左方向への移動を完了すると、その作動最左端の植付作業部に対応する左移動用スイッチ、又は、作動停止している植付作業部のいずれかに対応する左移動用スイッチが通電状態から非通電状態に切り換えられ、その切り換えに伴って、左移動用回路部が通電状態から非通電状態に切り換わり、よって、供給装置は、作動最左端の植付作業部に対する左方向への移動、又は、作動停止しているいずれかの植付作業部に対する左方向への移動を完了した段階で停止する。
【００２３】
つまり、供給装置は、左端から２つ以上の植付作業部を作動停止させる右端数条植え状態での供給作動時には、その供給作動を開始する際の停止位置にかかわらず、作動している植付作業部のうちの最左端の植付作業部に対する左方向での移動完了位置と、右端の植付作業部に対する右方向での移動完了位置とにわたって移動することになる。
【００２４】
従って、マイクロコンピュータを使用しない複数のスイッチを装備するだけの安価な構成でありながら、苗植付装置の植え付け状態を、全ての植付作業部を作動させる全条植え状態、左右のいずれか一端の植付作業部を作動停止させる端数条植え状態、及び、左右のいずれか一端から２つ以上の植付作業部を作動停止させる端数条植え状態のいずれに切り換えた場合であっても、供給装置は、その供給作動時には、作動する植付作業部に載置された植え付け対象の載置苗に対して供給作動を行うようになり、これによって、供給装置が、作動停止する植付作業部に載置された植え付け対象外の載置苗に対して供給作動を何度も繰り返して行う不具合の発生を防止でき、結果、供給装置から載置苗に供給される薬剤や肥料などの浪費を効果的に抑制できるとともに、植え付け対象外の載置苗に対する薬剤や肥料の過剰供給、あるいは、植え付け対象の載置苗に対する薬剤や肥料の供給不良に起因した、各載置苗の植え付け後の生育への悪影響を回避できる。
【００２５】
本発明をより好適なものにするための手段の一つとして、各第２補助スイッチは、それらに並列に接続される前記左移動用スイッチ又は前記右移動用スイッチに対応する植付作業部の作動停止操作に連動して非通電状態から通電状態に切り換えられるように構成してある。
【００２６】
この構成によると、２つ以上の補助クラッチを切り操作して、苗植付装置の植え付け状態を、左右のいずれか一端から２つ以上の植付作業部を作動停止させる端数条植え状態に切り換えると、その操作に連動して、そのときの端数条植え状態に応じた適切な供給作動を供給装置が行う状態に、供給装置の駆動回路が切り換えられることになり、その結果、第２補助スイッチの誤操作や操作忘れに起因した供給装置の作動不良を未然に回避できる。
【００２７】
従って、操作性の向上を図れる上に、植え付け対象の載置苗に対する供給装置の供給作動をより良好に行える。
【００２８】
本発明をより好適なものにするための手段の一つとして、各補助クラッチが、２条分の植え付け用作動機構の伝動状態を切り換えるように構成してある。
【００２９】
この構成によると、各補助クラッチが１条分の植え付け用作動機構の伝動状態を切り換えるように構成する場合に比較して、補助クラッチの数量だけでなく、供給装置の駆動回路に装備する各スイッチの数量などを削減でき、駆動回路の複雑化及び操作性の低下を回避できる。
【００３０】
従って、構成の簡素化及びコストの削減を図りながら操作性の向上を図れる。
【発明を実施するための最良の形態】
【００３１】
図１には乗用型田植機の全体側面が示されており、この田植機は、乗用型に形成された走行機体１の後部に、油圧式のリフトシリンダ２の作動で昇降揺動するリンク機構３を介して苗植付装置４を駆動昇降可能に連結して構成されている。
【００３２】
走行機体１は、その前部に搭載されたエンジン５からの走行用動力を、静油圧式無段変速装置６やギヤ式変速装置７などを介して、左右の前輪８及び後輪９に伝達する四輪駆動形式に構成され、その中央部には、左右の前輪８を操向するステアリングホイール１０や運転座席１１などを備えた搭乗運転部１２が形成されている。
【００３３】
図１〜３に示すように、苗植付装置４は、ギヤ式変速装置７からの作業用動力が伝達される動力分配機構１３、その動力分配機構１３などを支持する左右向きの主フレーム１４、その主フレーム１３から後方に向けて延出する３つの植付伝動ケース１５、それらの各植付伝動ケース１５の後部左右にそれぞれ配備されたロータリ式の植付機構（植え付け用作動機構の一例）１６、６条分のマット状苗（載置苗の一例）を載置する苗載台１７、６条分のマット状苗のそれぞれに対応して作動する６つの苗縦送り機構（植え付け用作動機構の一例）１８、苗載台１７を左右方向に一定ストロークで往復駆動する横送り駆動機構１９、苗載台１７が左右のストロークエンドに到達するごとに苗縦送り機構１８を作動させる縦送り駆動機構２０、及び、苗植え付け箇所を前もって整地する３つの整地フロート２１、などを備えた６条植え用に構成されている。
【００３４】
各植付機構１６は、苗載台１７に載置された６条分のマット状苗のそれぞれに対応して配備され、左右向きの伝動軸２２、及び、対応する植付伝動ケース１５に内蔵されたチェーン式伝動機構２３などを介して伝達される動力分配機構１３からの動力で、対応するマット状苗から所定量の苗を切り取って圃場に植え付ける植え付け作動を行うように構成されている。
【００３５】
横送り駆動機構１９は、その横送り軸２４が動力分配機構１３からの動力で回転して、苗載台１７に連結された可動部２５を左右方向に一定ストロークで往復移動させることで、苗載台１７を左右方向に一定ストロークで往復駆動させるように構成されている。
【００３６】
縦送り駆動機構２０は、動力分配機構１３からの動力で回転する回転軸２６に装備した左右一対の回転アーム２７のうちのいずれか一方が、苗載台１７が左右のストロークエンドに到達するごとに、各苗縦送り機構１８を駆動する駆動軸２８に装備したラチェット機構２９の操作アーム３０を蹴り上げ操作して、その駆動軸２８を間歇駆動させることで、各苗縦送り機構１８を間歇作動させるように構成されている。
【００３７】
各苗縦送り機構１８は、駆動軸２８の間歇駆動に伴って、その突起付きの縦送りベルト３１によって対応するマット状苗を苗載台１７の下方に向けて所定量だけ移動させる縦送り作動を行うように構成されている。
【００３８】
苗植付装置４は、左右方向に並設された６つの植付機構１６のうちの対応する隣接した２つの植付機構１６への伝動状態を切り換える植え付け用の３つの補助クラッチ３２と、左右方向に並設された６つの苗縦送り機構１８のうちの対応する隣接した２つの苗縦送り機構１８への伝動状態を切り換える苗縦送り用の３つの補助クラッチ３３とを備えて、その左右方向でそれぞれ独立作動可能な３つの植付作業部４Ａ〜４Ｃに区分されるとともに、それらの補助クラッチ３２，３３の操作で、その植え付け状態を、全ての植付作業部４Ａ〜４Ｃを作動させる６条植え状態（全条植え状態）、左側（左端）の植付作業部４Ａのみを作動させる左２条植え状態（左端数条植え状態の一例）、左側の植付作業部４Ａと左右中央（左端から２つ目）の植付作業部４Ｂとを作動させる左４条植え状態（左端数条植え状態の一例）、右側（右端）の植付作業部４Ｃのみを作動させる右２条植え状態（右端数条植え状態の一例）、及び、右側の植付作業部４Ｃと左右中央（右端から２つ目）の植付作業部４Ｂとを作動させる右４条植え状態（右端数条植え状態の一例）のそれぞれに切り換え可能に構成されている。
【００３９】
植え付け用の各補助クラッチ３２は、伝動軸２２と対応するチェーン式伝動機構２３との間に介装され、又、苗縦送り用の各補助クラッチ３３は、駆動軸２８と各植付作業部４Ａ〜４Ｃに属する２つの苗縦送り機構１８にわたる筒軸３４との間に介装され、苗植付装置４の左側に位置する植え付け用の補助クラッチ３２と苗縦送り用の補助クラッチ３３とが苗植付装置４の左側に配備された操作レバー３５に、苗植付装置４の左右中央に位置する植え付け用の補助クラッチ３２と苗縦送り用の補助クラッチ３３とが苗植付装置４の左右中央に配備された操作レバー３５に、苗植付装置４の右側に位置する植え付け用の補助クラッチ３２と苗縦送り用の補助クラッチ３３とが苗植付装置４の右側に配備された操作レバー３５にそれぞれ連係されている。
【００４０】
つまり、苗植付装置４の植え付け状態は、３つ操作レバー３５を用いて、全ての補助クラッチ３２，３３を入り状態にすれば６条植え状態に、左側の補助クラッチ３２，３３を入り状態にし、右側の補助クラッチ３２，３３と左右中央の補助クラッチ３２，３３とを切り状態にすれば左２条植え状態に、左側の補助クラッチ３２，３３と左右中央の補助クラッチ３２，３３とを入り状態にし、右側の補助クラッチ３２，３３を切り状態にすれば左４条植え状態に、右側の補助クラッチ３２，３３を入り状態にし、左側の補助クラッチ３２，３３と左右中央の補助クラッチ３２，３３とを切り状態にすれば右２条植え状態に、右側の補助クラッチ３２，３３と左右中央の補助クラッチ３２，３３とを入り状態にし、左側の補助クラッチ３２，３３を切り状態にすれば右４条植え状態に切り換えられる。
【００４１】
図１、図２及び図４〜７に示すように、苗植付装置４には、苗載台１７に対する左右方向への移動に伴って、作動する植付作業部４Ａ〜４Ｃのマット状苗に対して供給作動を行うように構成された移動式の供給装置３６が装備されている。
【００４２】
供給装置３６は、顆粒状の殺虫剤や殺菌剤などの薬剤が貯留されたホッパー３７、このホッパー３７から所定量の薬剤を繰り出す繰出機構３８、及び、この繰出機構３８からの薬剤を下方に供給案内する供給筒３９、などを備えて構成され、駆動機構４０の作動で、苗載台１７の両端部及び左右中央部に立設された支持部材４１にわたって架設されたチャンネル材からなる左右向きのガイドレール４２に沿って移動するとともに、マット状苗に対して所定量の薬剤を供給するように構成されている。
【００４３】
繰出機構３８は、ホッパー３７の下部に連通接続されるケーシング４３の内部に、周方向に複数の肥料繰り出し用の凹部４４ａが形成された繰出ロール４４を、前後向きの支軸４５周りに回動可能に装備し、又、ケーシング４３の後部に、繰出ロール４４と一体回動する従動スプロケット４６、上向きの噛合部４７ａを有するラックギヤ４７、ガイドレール４２の上部で案内される摺動部材４８、及び、ガイドレール４２の下部で案内される左右一対のローラ４９、など備えて構成されている。
【００４４】
駆動機構４０は、ガイドレール４２の右側に配備した駆動スプロケット５０とガイドレール４２の左端部に内備した従動スプロケット５１とにわたって掛け渡した無端回動チェーン５２が、繰出機構３８の従動スプロケット４６とラックギヤ４７とに噛合するとともに、減速機構５３を介した電動モータ５４からの動力で回動駆動されるように構成されている。
【００４５】
つまり、電動モータ５４による無端回動チェーン５２の駆動で、供給装置３６が苗載台１７に対して左右方向に移動するとともにマット状苗に対する供給作動を行うようになっている。尚、供給装置３６は、電動モータ５４が正転駆動されると左方向に移動し、電動モータ５４が逆転駆動されると右方向に移動する。
【００４６】
各支持部材４１には、縦送りされるマット状苗の葉茎を受け止めて、供給筒３９の通過経路を形成する分草杆５５が高さ調節可能に架設されている。
【００４７】
図８〜１２に示すように、電動モータ５４による供給装置３６の作動を制御する駆動回路５６には、電動モータ５４を正転駆動させる常開型の正転用リレースイッチＳａや、電動モータ５４を逆転駆動させる常開型の逆転用リレースイッチＳｂなどを備えた正逆転切り換え回路部５７、正転用リレースイッチＳａに対する電導状態を切り換える左移動用回路部５８、及び、逆転用リレースイッチＳｂに対する電導状態を切り換える右移動用回路部５９、などが備えられている。
【００４８】
供給装置３６を左方向に移動させる左移動用回路部５８には、供給装置３６の左方向への移動を開始させる左始動用スイッチＳＬと、供給装置３６の左方向への移動時に、対応する植付作業部４Ａ〜４Ｃに対する供給装置３６の移動が完了した際に通電状態から非通電状態に切り換えられる３つの左移動用スイッチＬＳとが直列に装備されている。
【００４９】
そして、それらの各左移動用スイッチＬＳのうち、左側の植付作業部４Ａに対応する左移動用スイッチＬＳ３を除いた左右中央の植付作業部４Ｂに対応する左移動用スイッチＬＳ２と右側の植付作業部４Ｃに対応する左移動用スイッチＬＳ１とのそれぞれには、通電状態と非通電状態とに切り換え可能な第１補助スイッチＳ１が並列に接続され、それらの第１補助スイッチＳ１のうち、右側の植付作業部４Ｃに対応する左移動用スイッチＬＳ１に並列に接続される第１補助スイッチＳ１ａは、それに並列に接続される左移動用スイッチＬＳ１に対応する右側の植付作業部４Ｃの左隣に位置する左右中央の植付作業部４Ｂの作動停止操作に連動して通電状態から非通電状態に切り換わり、又、左右中央の植付作業部４Ｂに対応する左移動用スイッチＬＳ２に並列に接続される第１補助スイッチＳ１ｂは、それに並列に接続される左移動用スイッチＬＳ２に対応する左右中央の植付作業部４Ｂの左隣に位置する左側の植付作業部４Ａの作動停止操作に連動して通電状態から非通電状態に切り換わるように構成されている。
【００５０】
又、右側の植付作業部４Ｃに対応する左移動用スイッチＬＳ１には、通電状態と非通電状態とに切り換え可能で、かつ、対応する第１補助スイッチＳ１ａに並列に接続される第２補助スイッチＳ２が並列に接続され、その第２補助スイッチＳ２は、それに並列に接続される左移動用スイッチＬＳ１に対応する右側の植付作業部４Ｃの作動停止操作に連動して非通電状態から通電状態に切り換わるように構成されている。
【００５１】
一方、供給装置３６を右方向に移動させる右移動用回路部５９には、供給装置３６の右方向への移動を開始させる右始動用スイッチＳＲと、供給装置３６の右方向への移動時に、対応する植付作業部４Ａ〜４Ｃに対する供給装置３６の移動が完了した際に通電状態から非通電状態に切り換えられる３つの右移動用スイッチＲＳとが直列に装備されている。
【００５２】
そして、それらの各右移動用スイッチＲＳのうち、右側の植付作業部４Ｃに対応する右移動用スイッチＲＳ３を除いた左右中央の植付作業部４Ｂに対応する右移動用スイッチＲＳ２と左側の植付作業部４Ａに対応する右移動用スイッチＲＳ１とのそれぞれには、通電状態と非通電状態とに切り換え可能な第１補助スイッチＳ１が並列に接続され、それらの第１補助スイッチＳ１のうち、左側の植付作業部４Ａに対応する右移動用スイッチＲＳ１に並列に接続される第１補助スイッチＳ１ｚは、それに並列に接続される右移動用スイッチＲＳ１に対応する左側の植付作業部４Ａの右隣に位置する左右中央の植付作業部４Ｂの作動停止操作に連動して通電状態から非通電状態に切り換わり、又、左右中央の植付作業部４Ｂに対応する右移動用スイッチＲＳ２に並列に接続される第１補助スイッチＳ１ｙは、それに並列に接続される右移動用スイッチＲＳ２に対応する左右中央の植付作業部４Ｂの右隣に位置する右側の植付作業部４Ｃの作動停止操作に連動して通電状態から非通電状態に切り換わるように構成されている。
【００５３】
又、左側の植付作業部４Ａに対応する右移動用スイッチＲＳ１には、通電状態と非通電状態とに切り換え可能で、かつ、対応する第１補助スイッチＳ１ｚに並列に接続される第２補助スイッチＳ２が並列に接続され、その第２補助スイッチＳ２は、それに並列に接続される右移動用スイッチＲＳ１に対応する左側の植付作業部４Ａの作動停止操作に連動して非通電状態から通電状態に切り換わるように構成されている。
【００５４】
図２及び図８〜１４に示すように、左始動用スイッチＳＬには、間歇駆動される縦送り駆動機構２０の駆動軸２８に装備した操作アーム６０が１回転するごとに、その操作アーム６０の一端部によって押圧操作されることにより通電状態に切り換えられる常開型のスイッチが採用され、又、右始動用スイッチＳＲには、駆動軸２８の操作アーム６０が１回転するごとに、その操作アーム６０の他端部によって押圧操作されることにより通電状態に切り換えられる常開型のリミットスイッチが採用されている。
【００５５】
図５〜１２及び図１５に示すように、右側の植付作業部４Ｃに対応する左移動用スイッチＬＳ１には、供給装置３６における供給筒３９の排出口３９Ａが、右側の植付作業部４Ｃに載置されたマット状苗のうちの左側のマット状苗の左端部に到達した際に、無端回動チェーン５２に装備した第１左移動用操作片Ｌ１によって押圧操作されることにより非通電状態に切り換えられる常閉型のリミットスイッチが採用されている。
【００５６】
左右中央の植付作業部４Ｂに対応する左移動用スイッチＬＳ２には、供給装置３６における供給筒３９の排出口３９Ａが、左右中央の植付作業部４Ｂに載置されたマット状苗のうちの左側のマット状苗の左端部に到達した際に、無端回動チェーン５２に装備した第２左移動用操作片Ｌ２によって押圧操作されることにより非通電状態に切り換えられる常閉型のリミットスイッチが採用されている。
【００５７】
左側の植付作業部４Ａに対応する左移動用スイッチＬＳ３には、供給装置３６における供給筒３９の排出口３９Ａが、左側の植付作業部４Ａに載置されたマット状苗のうちの左側のマット状苗の左端部に到達した際に、無端回動チェーン５２に装備した第３左移動用操作片Ｌ３によって押圧操作されることにより非通電状態に切り換えられる常閉型のリミットスイッチが採用されている。
【００５８】
左側の植付作業部４Ａに対応する右移動用スイッチＲＳ１には、供給装置３６における供給筒３９の排出口３９Ａが、左側の植付作業部４Ａに載置されたマット状苗のうちの右側のマット状苗の右端部に到達した際に、無端回動チェーン５２に装備した第１右移動用操作片Ｒ１によって押圧操作されることにより非通電状態に切り換えられる常閉型のリミットスイッチが採用されている。
【００５９】
左右中央の植付作業部４Ｂに対応する右移動用スイッチＲＳ２には、供給装置３６における供給筒３９の排出口３９Ａが、左右中央の植付作業部４Ｂに載置されたマット状苗のうちの右側のマット状苗の右端部に到達した際に、無端回動チェーン５２に装備した第２右移動用操作片Ｒ２によって押圧操作されることにより非通電状態に切り換えられる常閉型のリミットスイッチが採用されている。
【００６０】
右側の植付作業部４Ｃに対応する右移動用スイッチＲＳ３には、供給装置３６における供給筒３９の排出口３９Ａが、右側の植付作業部４Ｃに載置されたマット状苗のうちの右側のマット状苗の右端部に到達した際に、無端回動チェーン５２に装備した第３右移動用操作片Ｒ３によって押圧操作されることにより非通電状態に切り換えられる常閉型のリミットスイッチが採用されている。
【００６１】
右側の植付作業部４Ｃに対応する左移動用スイッチＬＳ１に並列に接続される第１補助スイッチＳ１ａには、左右中央の植付作業部４Ｂを作動停止させる際のそれに対応する補助クラッチ１６，１８の切り操作に連動して通電状態に切り換えられる常開型のクラッチスイッチＣＳＢを介した通電により非通電状態に切り換えられる常閉型のリレースイッチが採用されている。
【００６２】
図３、図８〜１２及び図１６に示すように、左右中央の植付作業部４Ｂに対応する左移動用スイッチＬＳ２に並列に接続される第１補助スイッチＳ１ｂには、左側の植付作業部４Ａを作動停止させる際のそれに対応する補助クラッチ１６，１８の切り操作に連動して通電状態に切り換えられる常開型のクラッチスイッチＣＳＡを介した通電により非通電状態に切り換えられる常閉型のリレースイッチが採用されている。
【００６３】
左側の植付作業部４Ａに対応する右移動用スイッチＲＳ１に並列に接続される第１補助スイッチＳ１ｚには、左右中央の植付作業部４Ｂを作動停止させる際のそれに対応する補助クラッチ１６，１８の切り操作に連動して通電状態に切り換えられる常開型のクラッチスイッチＣＳＢを介した通電により非通電状態に切り換えられる常閉型のリレースイッチが採用されている。
【００６４】
左右中央の植付作業部４Ｂに対応する右移動用スイッチＲＳ２に並列に接続される第１補助スイッチＳ１ｙには、右側の植付作業部４Ｃを作動停止させる際のそれに対応する補助クラッチ１６，１８の切り操作に連動して通電状態に切り換えられる常開型のクラッチスイッチＣＳＣを介した通電により非通電状態に切り換えられる常閉型のリレースイッチが採用されている。
【００６５】
右側の植付作業部４Ｃに対応する左移動用スイッチＬＳ１に並列に接続される第２補助スイッチＳ２には、右側の植付作業部４Ｃを作動停止させる際のそれに対応する補助クラッチ１６，１８の切り操作に連動して通電状態に切り換えられる常開型のクラッチスイッチＣＳＣを介した通電により通電状態に切り換えられる常開型のリレースイッチＳ２ａが採用されている。
【００６６】
左側の植付作業部４Ａに対応する右移動用スイッチＲＳ１に並列に接続される第２補助スイッチＳ２には、左側の植付作業部４Ａを作動停止させる際のそれに対応する補助クラッチ１６，１８の切り操作に連動して通電状態に切り換えられる常開型のクラッチスイッチＣＳＡを介した通電により通電状態に切り換えられる常開型のリレースイッチが採用されている。
【００６７】
以上の構成から、間歇駆動される縦送り駆動機構２０の駆動軸２８が半回転し、その駆動軸２８と連動する苗縦送り機構１８による駆動軸２８の半回転分に応じた所定量のマット状苗の縦送りが終了するごとに、左始動用スイッチＳＬと右始動用スイッチＳＲのいずれか一方が、駆動軸２８の操作アーム６０によって通電状態に切り換えられる。
【００６８】
そして、操作アーム６０によって左始動用スイッチＳＬが通電状態に切り換えられた場合には、その切り換えに伴って、左移動用回路部５８が通電状態に切り換えられるとともに、正転用リレースイッチＳａが通電状態に切り換えられ、これによって、電動モータ５４の正転駆動による供給装置３６の左方向への移動と供給作動とが開始される。
【００６９】
逆に、操作アーム６０によって右始動用スイッチＳＲが通電状態に切り換えられた場合には、その切り換えに伴って、右移動用回路部５９が通電状態に切り換えられるとともに、逆転用リレースイッチＳｂが通電状態に切り換えられ、これによって、電動モータ５４の逆転駆動による供給装置３６の右方向への移動と供給作動とが開始される。
【００７０】
そして、全ての補助クラッチ３２，３３を入り状態にして全ての植付作業部４Ａ〜４Ｃを作動させる６条植え状態では、図８に示すように、全てのクラッチスイッチＣＳＡ〜ＣＳＣが非通電状態になることで、全ての第１補助スイッチＳ１ａ，Ｓ１ｂ，Ｓ１ｙ，Ｓ１ｚが通電状態になり、又、全ての第２補助スイッチＳ２ａ，Ｓ２ｂが非通電状態になることから、供給装置３６が左方向に移動しながら供給作動する場合には、供給装置３６が左側の植付作業部４Ａに対する左方向への移動を完了するまでの間は、供給装置３６を左方向に移動させる左移動用回路部５８と正転用リレースイッチＳａとが通電状態に維持され、供給装置３６が左側の植付作業部４Ａに対する左方向への移動を完了すると、その左側の植付作業部４Ａに対応する左移動用スイッチＬＳ３が通電状態から非通電状態に切り換えられ、その切り換えに伴って、左移動用回路部５８と正転用リレースイッチＳａとが通電状態から非通電状態に切り換わり、よって、供給装置３６は、左側の植付作業部４Ａに対する左方向への移動を完了した段階で停止する。
【００７１】
逆に、供給装置３６が右方向に移動しながら供給作動する場合には、供給装置３６が右側の植付作業部４Ｃに対する右方向への移動を完了するまでの間は、供給装置３６を右方向に移動させる右移動用回路部５９と逆転用リレースイッチＳｂとが通電状態に維持され、供給装置３６が右側の植付作業部４Ｃに対する右方向への移動を完了すると、その右側の植付作業部４Ｃに対応する右移動用スイッチＲＳ３が通電状態から非通電状態に切り換えられ、その切り換えに伴って、右移動用回路部５９と逆転用リレースイッチＳｂとが通電状態から非通電状態に切り換わり、よって、供給装置３６は、右側の植付作業部４Ｃに対する右方向への移動を完了した段階で停止する。
【００７２】
つまり、供給装置３６は、６条植え状態での供給作動時には、左側の植付作業部４Ａに対する左方向での移動完了位置と右側の植付作業部４Ｃに対する右方向での移動完了位置とにわたって移動することになる。
【００７３】
又、右側の植付作業部４Ｃに対応する補助クラッチ３２，３３を切り状態にして右側の植付作業部４Ｃを作動停止させる左４条植え状態（左端数条植え状態の一例）では、図９に示すように、右側の植付作業部４Ｃに対応するクラッチスイッチＣＳＣが通電状態になり、左側の植付作業部４Ａに対応するクラッチスイッチＣＳＡと左右中央の植付作業部４Ｂに対応するクラッチスイッチＣＳＢとが非通電状態になることで、第１補助スイッチＳ１のうち、左右中央の植付作業部４Ｂに対応する右移動用スイッチＲＳ２に並列に接続された第１補助スイッチＳ１ｙのみが非通電状態になり、他の第１補助スイッチＳ１ａ，Ｓ１ｂ，Ｓ１ｚは通電状態になり、又、全ての第２補助スイッチＳ２ａ，Ｓ２ｂが非通電状態になることから、供給装置３６が左方向に移動しながら供給作動する場合には、供給装置３６が左側の植付作業部４Ａに対する左方向への移動を完了するまでの間は、左移動用回路部５８と正転用リレースイッチＳａとが通電状態に維持され、供給装置３６が左側の植付作業部４Ａに対する左方向への移動を完了すると、その左側の植付作業部４Ａに対応する左移動用スイッチＬＳ３が通電状態から非通電状態に切り換えられ、その切り換えに伴って、左移動用回路部５８と正転用リレースイッチＳａとが通電状態から非通電状態に切り換わり、よって、供給装置３６は、左側の植付作業部４Ａに対する左方向への移動を完了した段階で停止する。
【００７４】
逆に、供給装置３６が右方向に移動しながら供給作動する場合には、供給装置３６が、左右中央の植付作業部４Ｂに対する右方向への移動、又は、右側の植付作業部４Ｃに対する右方向への移動を完了するまでの間は、右移動用回路部５９と逆転用リレースイッチＳｂとが通電状態に維持され、供給装置３６が、左右中央の植付作業部４Ｂに対する右方向への移動、又は、右側の植付作業部４Ｃに対する右方向への移動を完了すると、その左右中央の植付作業部４Ｂに対応する右移動用スイッチＲＳ２、又は、右側の植付作業部４Ｃに対応する右移動用スイッチＲＳ３が通電状態から非通電状態に切り換えられ、その切り換えに伴って、右移動用回路部５９と逆転用リレースイッチＳｂとが通電状態から非通電状態に切り換わり、よって、供給装置３６は、左右中央の植付作業部４Ｂに対する右方向への移動、又は、右側の植付作業部４Ｃに対する右方向への移動を完了した段階で停止する。
【００７５】
つまり、供給装置３６は、右側の植付作業部４Ｃを作動停止させる左４条植え状態での供給作動時には、その供給作動を開始する際の停止位置にかかわらず、左右中央の植付作業部４Ｂに対する右方向での移動完了位置と、左側の植付作業部４Ａに対する左方向での移動完了位置とにわたって移動することになる。
【００７６】
一方、左側の植付作業部４Ａに対応する補助クラッチ３２，３３を切り状態にして左側の植付作業部４Ａを作動停止させる右４条植え状態（右端数条植え状態の一例）では、図１０に示すように、左側の植付作業部４Ａに対応するクラッチスイッチＣＳＡが通電状態になり、左右中央の植付作業部４Ｂに対応するクラッチスイッチＣＳＢと右側の植付作業部４Ｃに対応するクラッチスイッチＣＳＣとが非通電状態になることで、第１補助スイッチＳ１のうち、左右中央の植付作業部４Ｂに対応する左移動用スイッチＬＳ２に並列に接続された第１補助スイッチＳ１ｂのみが非通電状態になり、他の第１補助スイッチＳ１ａ，Ｓ１ｙ，Ｓ１ｚは通電状態になり、又、全ての第２補助スイッチＳ２ａ，Ｓ２ｂが非通電状態になることから、供給装置３６が左方向に移動しながら供給作動する場合には、供給装置３６が左右中央の植付作業部４Ｂに対する左方向への移動、又は、左側の植付作業部４Ａに対する左方向への移動を完了するまでの間は、左移動用回路部５８と正転用リレースイッチＳａとが通電状態に維持され、供給装置３６が左右中央の植付作業部４Ｂに対する左方向への移動、又は、左側の植付作業部４Ａに対する左方向への移動を完了すると、その左右中央の植付作業部４Ｂに対応する左移動用スイッチＬＳ２、又は、左側の植付作業部４Ａに対応する左移動用スイッチＬＳ３が通電状態から非通電状態に切り換えられ、その切り換えに伴って、左移動用回路部５８と正転用リレースイッチＳａとが通電状態から非通電状態に切り換わり、よって、供給装置３６は、左右中央の植付作業部４Ｂに対する左方向への移動、又は、左側の植付作業部４Ａに対する左方向への移動を完了した段階で停止する。
【００７７】
逆に、供給装置３６が右方向に移動しながら供給作動する場合には、供給装置３６が、右側の植付作業部４Ｃに対する右方向への移動を完了するまでの間は、右移動用回路部５９と逆転用リレースイッチＳｂとが通電状態に維持され、供給装置３６が、右側の植付作業部４Ｃに対する右方向への移動を完了すると、その右側の植付作業部４Ｃに対応する右移動用スイッチＲＳ３が通電状態から非通電状態に切り換えられ、その切り換えに伴って、右移動用回路部５９と逆転用リレースイッチＳｂとが通電状態から非通電状態に切り換わり、よって、供給装置３６は、右側の植付作業部４Ｃに対する右方向への移動を完了した段階で停止する。
【００７８】
つまり、供給装置３６は、左側の植付作業部４Ａを作動停止させる右４条植え状態での供給作動時には、その供給作動を開始する際の停止位置にかかわらず、左右中央の植付作業部４Ｂに対する左方向での移動完了位置と、右側の植付作業部４Ｃに対する右方向での移動完了位置とにわたって移動することになる。
【００７９】
更に、右側の植付作業部４Ｃに対応する補助クラッチ３２，３３と左右中央の植付作業部４Ｂに対応する補助クラッチ３２，３３とを切り状態にして右側の植付作業部４Ｃと左右中央の植付作業部４Ｂとを作動停止させる左２条植え状態（左端数条植え状態の一例）では、図１１に示すように、右側の植付作業部４Ｃに対応するクラッチスイッチＣＳＣと左右中央の植付作業部４Ｂに対応するクラッチスイッチＣＳＢとが通電状態になり、左側の植付作業部４Ａに対応するクラッチスイッチＣＳＡが非通電状態になることで、第１補助スイッチＳ１のうち、右側の植付作業部４Ｃに対応する左移動用スイッチＬＳ１に並列に接続された第１補助スイッチＳ１ａと、左右中央の植付作業部４Ｂに対応する右移動用スイッチＲＳ２に並列に接続された第１補助スイッチＳ１ｙと、左側の植付作業部４Ａに対応する右移動用スイッチＲＳ１に並列に接続された第１補助スイッチＳ１ｚとが非通電状態になり、左右中央の植付作業部４Ｂに対応する左移動用スイッチＬＳ２に並列に接続された第１補助スイッチＳ１ｂのみが通電状態になり、又、第２補助スイッチＳ２のうち、右側の植付作業部４Ｃに対応する左移動用スイッチＬＳ１に並列に接続された第２補助スイッチＳ２ａが通電状態になり、左側の植付作業部４Ａに対応する右移動用スイッチＲＳ１に並列に接続された第２補助スイッチＳ２ｚが非通電状態になることから、供給装置３６が左方向に移動しながら供給作動する場合には、供給装置３６が左側の植付作業部４Ａに対する左方向への移動を完了するまでの間は、左移動用回路部５８と正転用リレースイッチＳａとが通電状態に維持され、供給装置３６が左側の植付作業部４Ａに対する左方向への移動を完了すると、その左側の植付作業部４Ａに対応する左移動用スイッチＬＳ３が通電状態から非通電状態に切り換えられ、その切り換えに伴って、左移動用回路部５８と正転用リレースイッチＳａとが通電状態から非通電状態に切り換わり、よって、供給装置３６は、左側の植付作業部４Ａに対する左方向への移動を完了した段階で停止する。
【００８０】
逆に、供給装置３６が右方向に移動しながら供給作動する場合には、供給装置３６が、左側の植付作業部４Ａに対する右方向への移動、左右中央の植付作業部４Ｂに対する右方向への移動、又は、右側の植付作業部４Ｃに対する右方向への移動を完了するまでの間は、右移動用回路部５９と逆転用リレースイッチＳｂとが通電状態に維持され、供給装置３６が、左側の植付作業部４Ａに対する右方向への移動、左右中央の植付作業部４Ｂに対する右方向への移動、又は、右側の植付作業部４Ｃに対する右方向への移動を完了すると、左側の植付作業部４Ａに対応する右移動用スイッチＲＳ１、左右中央の植付作業部４Ｂに対応する右移動用スイッチＲＳ２、又は、右側の植付作業部４Ｃに対応する右移動用スイッチＲＳ３のいずれかが通電状態から非通電状態に切り換えられ、その切り換えに伴って、右移動用回路部５９と逆転用リレースイッチＳｂとが通電状態から非通電状態に切り換わり、よって、供給装置３６は、左側の植付作業部４Ａに対する右方向への移動、左右中央の植付作業部４Ｂに対する右方向への移動、又は、右側の植付作業部４Ｃに対する右方向への移動を完了した段階で停止する。
【００８１】
つまり、供給装置３６は、右側の植付作業部４Ｃと左右中央の植付作業部４Ｂとを作動停止させる左２条植え状態での供給作動時には、その供給作動を開始する際の停止位置にかかわらず、左側の植付作業部４Ａに対する右方向での移動完了位置と左方向での移動完了位置とにわたって移動することになる。
【００８２】
一方、左側の植付作業部４Ａに対応する補助クラッチ３２，３３と左右中央の植付作業部４Ｂに対応する補助クラッチ３２，３３とを切り状態にして左側の植付作業部４Ａと左右中央の植付作業部４Ｂとを作動停止させる右２条植え状態（右端数条植え状態の一例）では、図１２に示すように、左側の植付作業部４Ａに対応するクラッチスイッチＣＳＡと左右中央の植付作業部４Ｂに対応するクラッチスイッチＣＳＢとが通電状態になり、右側の植付作業部４Ｃに対応するクラッチスイッチＣＳＣが非通電状態になることで、第１補助スイッチＳ１のうち、左側の植付作業部４Ａに対応する右移動用スイッチＲＳ１に並列に接続された第１補助スイッチＳ１ｚと、左右中央の植付作業部４Ｂに対応する左移動用スイッチＬＳ２に並列に接続された第１補助スイッチＳ１ｂと、右側の植付作業部４Ｃに対応する左移動用スイッチＬＳ１に並列に接続された第１補助スイッチＳ１ａとが非通電状態になり、左右中央の植付作業部４Ｂに対応する右移動用スイッチＲＳ２に並列に接続された第１補助スイッチＳ１ｙのみが通電状態になり、又、第２補助スイッチＳ２のうち、左側の植付作業部４Ａに対応する右移動用スイッチＲＳ１に並列に接続された第２補助スイッチＳ２ｚが通電状態になり、右側の植付作業部４Ｃに対応する左移動用スイッチＬＳ１に並列に接続された第２補助スイッチＳ２ａが非通電状態になることから、供給装置３６が左方向に移動しながら供給作動する場合には、供給装置３６が、右側の植付作業部４Ｃに対する左方向への移動、左右中央の植付作業部４Ｂに対する左方向への移動、又は、左側の植付作業部４Ａに対する左方向への移動を完了するまでの間は、左移動用回路部５８と正転用リレースイッチＳａとが通電状態に維持され、供給装置３６が、右側の植付作業部４Ｃに対する左方向への移動、左右中央の植付作業部４Ｂに対する左方向への移動、又は、左側の植付作業部４Ａに対する左方向への移動を完了すると、右側の植付作業部４Ｃに対応する左移動用スイッチＬＳ１、左右中央の植付作業部４Ｂに対応する左移動用スイッチＬＳ２、又は、左側の植付作業部４Ａに対応する左移動用スイッチＬＳ３のいずれかが通電状態から非通電状態に切り換えられ、その切り換えに伴って、左移動用回路部５８と正転用リレースイッチＳａとが通電状態から非通電状態に切り換わり、よって、供給装置３６は、右側の植付作業部４Ｃに対する左方向への移動、左右中央の植付作業部４Ｂに対する左方向への移動、又は、左側の植付作業部４Ａに対する左方向への移動を完了した段階で停止する。
【００８３】
逆に、供給装置３６が右方向に移動しながら供給作動する場合には、供給装置３６が右側の植付作業部４Ｃに対する右方向への移動を完了するまでの間は、右移動用回路部５９と逆転用リレースイッチＳｂとが通電状態に維持され、供給装置３６が右側の植付作業部４Ｃに対する右方向への移動を完了すると、その右側の植付作業部４Ｃに対応する右移動用スイッチＲＳ３が通電状態から非通電状態に切り換えられ、その切り換えに伴って、右移動用回路部５９と逆転用リレースイッチＳｂとが通電状態から非通電状態に切り換わり、よって、供給装置３６は、右端の植付作業部４Ｃに対する右方向への移動を完了した段階で停止する。
【００８４】
つまり、供給装置３６は、左側の植付作業部４Ａと左右中央の植付作業部４Ｂとを作動停止させる右２条植え状態での供給作動時には、その供給作動を開始する際の停止位置にかかわらず、右側の植付作業部４Ｃに対する左方向での移動完了位置と右方向での移動完了位置とにわたって移動することになる。
【００８５】
その結果、高価なマイクロコンピュータを使用しない安価な構成でありながら、苗植付装置４の植え付け状態を、６条植え状態、左４条植え状態、右４条植え状態、左２条植え状態、及び、右２条植え状態のいずれに切り換えた場合であっても、供給装置３６は、その供給作動時には、作動する植付作業部４Ａ〜４Ｃに載置された植え付け対象のマット状苗に対して良好な供給作動を行うようになり、これによって、供給装置３６からマット状苗に供給される薬剤の浪費を効果的に抑制できるとともに、各苗の植え付け後の生育を促進させることができる。
【００８６】
図７及び図１５に示すように、無端回動チェーン５２に、その回動方向に所定間隔を隔てて装備される各操作片Ｌ１〜Ｌ３，Ｒ１〜Ｒ３のうち、右側の植付作業部４Ｃに対応する左移動用スイッチＬＳ１を操作する第１左移動用操作片Ｌ１は、無端回動チェーン５２の所定箇所に、無端回動チェーン５２の外縁側から後方に向けて延出する状態に、左右中央の植付作業部４Ｂに対応する左移動用スイッチＬＳ２を操作する第２左移動用操作片Ｌ２は、無端回動チェーン５２の所定箇所に、無端回動チェーン５２の内縁側から後方に向けて延出する状態に、左側の植付作業部４Ａに対応する左移動用スイッチＬＳ３を操作する第３左移動用操作片Ｌ３は、無端回動チェーン５２の所定箇所に、無端回動チェーン５２の内縁側から前方に向けて延出する状態に、左側の植付作業部４Ａに対応する右移動用スイッチＲＳ１を操作する第１右移動用操作片Ｒ１は、無端回動チェーン５２の所定箇所に、無端回動チェーン５２の内縁側から後方に向けて延出する状態に、左右中央の植付作業部４Ｂに対応する右移動用スイッチＲＳ２を操作する第２右移動用操作片Ｒ２は、無端回動チェーン５２の所定箇所に、無端回動チェーン５２の外縁側から後方に向けて延出する状態に、右側の植付作業部４Ｃに対応する右移動用スイッチＲＳ３を操作する第３右移動用操作片Ｒ３は、無端回動チェーン５２の所定箇所に、無端回動チェーン５２の内縁側から前方に向けて延出する状態に備えられている。
【００８７】
一方、各左移動用スイッチＬＳ１〜ＬＳ３と各右移動用スイッチＲＳ１〜ＲＳ３は、駆動機構４０の駆動スプロケット５０を覆うカバー６１内に集中配備されており、それらの各左移動用スイッチＬＳ１〜ＬＳ３及び各右移動用スイッチＲＳ１〜ＲＳ３のうち、左側の植付作業部４Ａに対する左移動用スイッチＬＳ３と右側の植付作業部４Ｃに対する右移動用スイッチＲＳ３は、無端回動チェーン５２の内縁側から前方に向けて延出する第３左移動用操作片Ｌ３及び第３右移動用操作片Ｒ３による操作が可能となるように、駆動スプロケット５０の前方に配備されたブラケット６２に、無端回動チェーン５２の回動方向に所定間隔を隔てた状態で支持され、又、右側の植付作業部４Ｃに対する左移動用スイッチＬＳ１と左右中央の植付作業部４Ｂに対する右移動用スイッチＲＳ２は、無端回動チェーン５２の外縁側から後方に向けて延出する第１左移動用操作片Ｌ１及び第２右移動用操作片Ｒ２による操作が可能となるように、駆動スプロケット５０の後方に配備されたブラケット６３に、無端回動チェーン５２の回動方向に所定間隔を隔てた状態で支持され、更に、左右中央の植付作業部４Ｂに対する左移動用スイッチＬＳ２と左側の植付作業部４Ａに対する右移動用スイッチＲＳ１は、無端回動チェーン５２の内縁側から後方に向けて延出する第２左移動用操作片Ｌ２及び第１右移動用操作片Ｒ１による操作が可能となるように、駆動スプロケット５０の後方に配備されたブラケット６３に、無端回動チェーン５２の回動方向に所定間隔を隔てた状態で支持されている。
【００８８】
上記のように各左移動用スイッチＬＳ１〜ＬＳ３及び各右移動用スイッチＲＳ１〜ＲＳ３を配置した場合、供給装置３６の移動範囲が最も大きくなる６条植え状態（全条植え状態）において、供給装置３６が左右のいずれか一方に移動する供給作動時には、左右中央の植付作業部４Ｂに対する左移動用スイッチＬＳ２、左側の植付作業部４Ａに対する左移動用スイッチＬＳ３、及び、右側の植付作業部４Ｃに対する右移動用スイッチＲＳ３が、それぞれ１回だけ操作されるのに対し、右側の植付作業部４Ｃに対する左移動用スイッチＬＳ１、左側の植付作業部４Ａに対する右移動用スイッチＲＳ１、及び、左右中央の植付作業部４Ｂに対する右移動用スイッチＲＳ２は、それぞれ２回操作されることになり、耐久性の面で改善の余地がある。
【００８９】
そこで、図１７に示すように、各操作片Ｌ１〜Ｌ３，Ｒ１〜Ｒ３のうち、第１左移動用操作片Ｌ１は、無端回動チェーン５２の所定箇所において外縁側から後方に向けて延出する状態のままとし、第２左移動用操作片Ｌ２は、無端回動チェーン５２の所定箇所において外縁側から前方に向けて延出する状態に変更し、第３左移動用操作片Ｌ３は、無端回動チェーン５２の所定箇所において内縁側から前方に向けて延出する状態のままとし、第１右移動用操作片Ｒ１は、無端回動チェーン５２の所定箇所において外縁側から後方に向けて延出する状態に変更し、第２右移動用操作片Ｒ２は、無端回動チェーン５２の所定箇所において内縁側から後方に向けて延出する状態に変更し、第３右移動用操作片Ｒ３は、無端回動チェーン５２の所定箇所において内縁側から前方に向けて延出する状態のままとし、かつ、各左移動用スイッチＬＳ１〜ＬＳ３及び各右移動用スイッチＲＳ１〜ＲＳ３のうち、左側の植付作業部４Ａに対する左移動用スイッチＬＳ３と右側の植付作業部４Ｃに対する右移動用スイッチＲＳ３は、無端回動チェーン５２の内縁側から前方に向けて延出する第３左移動用操作片Ｌ３及び第３右移動用操作片Ｒ３による操作が可能となるように、下側のブラケット６２に、無端回動チェーン５２の回動方向に所定間隔を隔てた状態で支持させたままとし、右側の植付作業部４Ｃに対する左移動用スイッチＬＳ１は、無端回動チェーン５２の外縁側から後方に向けて延出する第１左移動用操作片Ｌ１による操作が可能となるように、上側のブラケット６３に支持させたままとし、左側の植付作業部４Ａに対する右移動用スイッチＲＳ１は、無端回動チェーン５２の外縁側から後方に向けて延出する第１右移動用操作片Ｒ１による操作が可能となるように、上側のブラケット６３に対する取り付け位置を変更し、左右中央の植付作業部４Ｂに対する左移動用スイッチＬＳ２は、無端回動チェーン５２の外縁側から前方に向けて延出する第２左移動用操作片Ｌ２による操作が可能となるように、その取り付け位置を、下側のブラケット６２における左側の植付作業部４Ａに対する左移動用スイッチＬＳ３と右側の植付作業部４Ｃに対する右移動用スイッチＲＳ３との間の所定位置に変更し、左右中央の植付作業部４Ｂに対する右移動用スイッチＲＳ２は、無端回動チェーン５２の内縁側から後方に向けて延出する第２右移動用操作片Ｒ２による操作が可能となるように、その取り付け位置を、上側のブラケット６３における右側の植付作業部４Ｃに対する左移動用スイッチＬＳ１と左側の植付作業部４Ａに対する右移動用スイッチＲＳ１との間の所定位置に変更するようにすれば、６条植え状態（全条植え状態）での供給装置３６の供給作動時には、各左移動用スイッチＬＳ１〜ＬＳ３及び各右移動用スイッチＲＳ１〜ＲＳ３の全てが、それぞれ１回操作されるだけとなり、耐久性の向上を図れるようになる。
【００９０】
〔別実施例〕
以下、本発明の別実施例を列記する。
〔１〕乗用型田植機としては、５条植え用の苗植付装置４、８条植え用の苗植付装置４、又は、１０条植え用の苗植付装置４、などを走行機体１の後部に連結して構成したものであってもよい。
【００９１】
尚、図１８には、走行機体１に８条植え用の苗植付装置４を連結して構成された乗用型田植機における供給装置３６の駆動回路５６が示されている。
【００９２】
６条植え用の場合と異なる点について詳述すると、供給装置３６の作動を制御する駆動回路５６の左移動用回路部５８には、供給装置３６の左方向への移動を開始させる左始動用スイッチＳＬと、供給装置３６の左方向への移動時に、対応する植付作業部４Ａ〜４Ｄに対する供給装置３６の移動が完了した際に通電状態から非通電状態に切り換えられる４つの左移動用スイッチＬＳとが直列に装備され、それらの各左移動用スイッチＬＳのうち、左端の植付作業部４Ａに対応する左移動用スイッチＬＳ４を除いた中央左側（左端から２つ目）の植付作業部４Ｂに対応する左移動用スイッチＬＳ３と中央右側（右端から２つ目）の植付作業部４Ｃに対応する左移動用スイッチＬＳ２と右端の植付作業部４Ｄに対応する左移動用スイッチＬＳ１とのそれぞれに、通電状態と非通電状態とに切り換え可能な第１補助スイッチＳ１が並列に接続されている。
【００９３】
そして、それらの第１補助スイッチＳ１のうち、右端の植付作業部４Ｄに対応する左移動用スイッチＬＳ１に並列に接続される第１補助スイッチＳ１ａは、それに並列に接続される左移動用スイッチＬＳ１に対応する右端の植付作業部４Ｄの左隣に位置する中央右側の植付作業部４Ｃの作動停止操作（クラッチスイッチＣＳＣの通電状態への切り換え）に連動して通電状態から非通電状態に切り換わり、又、中央右側の植付作業部４Ｃに対応する左移動用スイッチＬＳ２に並列に接続される第１補助スイッチＳ１ｂは、それに並列に接続される左移動用スイッチＬＳ２に対応する中央右側の植付作業部４Ｃの左隣に位置する中央左側の植付作業部４Ｂの作動停止操作（クラッチスイッチＣＳＢの通電状態への切り換え）に連動して通電状態から非通電状態に切り換わり、更に、中央左側の植付作業部４Ｂに対応する左移動用スイッチＬＳ３に並列に接続される第１補助スイッチＳ１ｃは、それに並列に接続される左移動用スイッチＬＳ３に対応する中央左側の植付作業部４Ｂの左隣に位置する左端の植付作業部４Ａの作動停止操作（クラッチスイッチＣＳＡの通電状態への切り換え）に連動して通電状態から非通電状態に切り換わるように構成されている。
【００９４】
又、右端の植付作業部４Ｄに対応する左移動用スイッチＬＳ１と中央右側の植付作業部４Ｃに対応する左移動用スイッチＬＳ２とのそれぞれには、通電状態と非通電状態とに切り換え可能で、かつ、対応する第１補助スイッチＳ１ａ，Ｓ１ｂに並列に接続される第２補助スイッチＳ２が並列に接続され、それらの第２補助スイッチＳ２のうち、右端の植付作業部４Ｄに対応する左移動用スイッチＬＳ１に並列に接続される第２補助スイッチＳ２ａは、それに並列に接続される左移動用スイッチＬＳ１に対応する右端の植付作業部４Ｄの作動停止操作（クラッチスイッチＣＳＤの通電状態への切り換え）に連動して非通電状態から通電状態に切り換わり、中央右側の植付作業部４Ｃに対応する左移動用スイッチＬＳ２に並列に接続される第２補助スイッチＳ２ｂは、それに並列に接続される左移動用スイッチＬＳ２に対応する中央右側の植付作業部４Ｃの作動停止操作（クラッチスイッチＣＳＣの通電状態への切り換え）に連動して非通電状態から通電状態に切り換わるように構成されている。
【００９５】
一方、供給装置３６を右方向に移動させる右移動用回路部５９には、供給装置３６の右方向への移動を開始させる右始動用スイッチＳＲと、供給装置３６の右方向への移動時に、対応する植付作業部４Ａ〜４Ｄに対する供給装置３６の移動が完了した際に通電状態から非通電状態に切り換えられる４つの右移動用スイッチＲＳとが直列に装備され、それらの各右移動用スイッチＲＳのうち、右端の植付作業部４Ｄに対応する右移動用スイッチＲＳ４を除いた中央右側の植付作業部４Ｃに対応する右移動用スイッチＲＳ３と中央左側の植付作業部４Ｂに対応する右移動用スイッチＲＳ２と左端の植付作業部４Ａに対応する右移動用スイッチＲＳ１とのそれぞれには、通電状態と非通電状態とに切り換え可能な第１補助スイッチＳ１が並列に接続されている。
【００９６】
そして、それらの第１補助スイッチＳ１のうち、左端の植付作業部４Ａに対応する右移動用スイッチＲＳ１に並列に接続される第１補助スイッチＳ１ｚは、それに並列に接続される右移動用スイッチＲＳ１に対応する左端の植付作業部４Ａの右隣に位置する中央左側の植付作業部４Ｂの作動停止操作（クラッチスイッチＣＳＢの通電状態への切り換え）に連動して通電状態から非通電状態に切り換わり、又、中央左側の植付作業部４Ｂに対応する右移動用スイッチＲＳ２に並列に接続される第１補助スイッチＳ１ｙは、それに並列に接続される右移動用スイッチＲＳ２に対応する中央左側の植付作業部４Ｂの右隣に位置する中央右側の植付作業部４Ｃの作動停止操作（クラッチスイッチＣＳＣの通電状態への切り換え）に連動して通電状態から非通電状態に切り換わり、更に、中央右側の植付作業部４Ｃに対応する右移動用スイッチＲＳ３に並列に接続される第１補助スイッチＳ１ｘは、それに並列に接続される右移動用スイッチＲＳ３に対応する中央右側の植付作業部４Ｃの右隣に位置する右端の植付作業部４Ｄの作動停止操作（クラッチスイッチＣＳＤの通電状態への切り換え）に連動して通電状態から非通電状態に切り換わるように構成されている。
【００９７】
又、左端の植付作業部４Ａに対応する右移動用スイッチＲＳ１と中央左側の植付作業部４Ｂに対応する右移動用スイッチＲＳ２とのそれぞれには、通電状態と非通電状態とに切り換え可能で、かつ、対応する第１補助スイッチＳ１ｚ，Ｓ１ｙに並列に接続される第２補助スイッチＳ２が並列に接続され、それらの第２補助スイッチＳ２のうち、左端の植付作業部４Ａに対応する右移動用スイッチＲＳ１に並列に接続される第２補助スイッチＳ２ｚは、それに並列に接続される右移動用スイッチＲＳ１に対応する左端の植付作業部４Ａの作動停止操作（クラッチスイッチＣＳＡの通電状態への切り換え）に連動して非通電状態から通電状態に切り換わり、中央左側の植付作業部４Ｂに対応する右移動用スイッチＲＳ２に並列に接続される第２補助スイッチＳ２ｙは、それに並列に接続される右移動用スイッチＲＳ２に対応する中央左側の植付作業部４Ｂの作動停止操作（クラッチスイッチＣＳＢの通電状態への切り換え）に連動して非通電状態から通電状態に切り換わるように構成されている。
【００９８】
以上の回路構成によって、全ての植付作業部４Ａ〜４Ｄを作動させた８条植え状態での供給作動時には、供給装置３６が、左端の植付作業部４Ａに対する左方向での移動完了位置と右端の植付作業部４Ｄに対する右方向での移動完了位置とにわたって移動することになる。
【００９９】
又、右端の植付作業部４Ｄを作動停止させた左６条植え状態での供給作動時には、供給装置３６が、供給作動を開始する際の停止位置にかかわらず、中央右側の植付作業部４Ｃに対する右方向での移動完了位置と、左端の植付作業部４Ａに対する左方向での移動完了位置とにわたって移動することになる。
【０１００】
逆に、左端の植付作業部４Ａを作動停止させた右６条植え状態での供給作動時には、供給装置３６が、供給作動を開始する際の停止位置にかかわらず、中央左側の植付作業部４Ｂに対する左方向での移動完了位置と、右端の植付作業部４Ｄに対する右方向での移動完了位置とにわたって移動することになる。
【０１０１】
更に、右端の植付作業部４Ｄと中央右側の植付作業部４Ｃとを作動停止させた左４条植え状態での供給作動時には、供給装置３６が、供給作動を開始する際の停止位置にかかわらず、中央左側の植付作業部４Ａに対する右方向での移動完了位置と、左端の植付作業部４Ａに対する左方向での移動完了位置とにわたって移動することになる。
【０１０２】
逆に、左端の植付作業部４Ａと中央左側の植付作業部４Ｂとを作動停止させた右４条植え状態での供給作動時には、供給装置３６が、供給作動を開始する際の停止位置にかかわらず、中央右側の植付作業部４Ｃに対する左方向での移動完了位置と、右端の植付作業部４Ｄに対する右方向での移動完了位置とにわたって移動することになる。
【０１０３】
その上更に、右端の植付作業部４Ｄと中央右側の植付作業部４Ｃと中央左側の植付作業部４Ｂとを作動停止させた左２条植え状態での供給作動時には、供給装置３６が、供給作動を開始する際の停止位置にかかわらず、左側の植付作業部４Ａに対する右方向での移動完了位置と左方向での移動完了位置とにわたって移動することになる。
【０１０４】
逆に、左端の植付作業部４Ａと中央左側の植付作業部４Ｂと中央右側の植付作業部４Ｃとを作動停止させた右２条植え状態での供給作動時には、供給装置３６が、供給作動を開始する際の停止位置にかかわらず、右側の植付作業部４Ｄに対する左方向での移動完了位置と右方向での移動完了位置とにわたって移動することになる。
【０１０５】
つまり、高価なマイクロコンピュータを使用しない安価な構成でありながら、苗植付装置４の植え付け状態を、８条植え状態、左６条植え状態、右６条植え状態、左４条植え状態、右４条植え状態、左２条植え状態、及び、右２条植え状態のいずれに切り換えた場合であっても、供給装置３６は、その供給作動時には、作動する植付作業部４Ａ〜４Ｄに載置された植え付け対象のマット状苗に対して良好な供給作動を行うようになり、これによって、供給装置３６からマット状苗に供給される薬剤の浪費を効果的に抑制できるとともに、各苗の植え付け後の生育を促進させることができる。
【０１０６】
〔２〕乗用型田植機としては、走行機体１の後部に施肥装置を備えるミッドマウント施肥型に構成されたものであってもよい。尚、この構成においては、施肥装置にも、この施肥装置を苗植付装置４と同様に複数の作業部に区分する複数の補助クラッチを備え、かつ、それらの補助クラッチが苗植付装置４側の対応する補助クラッチ３２，３３の操作に連動して操作されるように構成することが望ましい。
【０１０７】
〔３〕苗植付装置４を、例えば、その植え付け条数と同数の補助クラッチ３２，３３を装備して、その植え付け条数と同数の植付作業部に区分するように構成してもよい。
【０１０８】
〔４〕供給装置３６を、そのホッパー３７に顆粒状の肥料などを貯留して施肥装置として機能させるようにしてもよい。
【０１０９】
〔５〕供給装置３６の駆動機構４０としては、タイミングベルトなどを利用して構成されたものであってもよい。
【０１１０】
〔６〕供給装置３６の駆動回路５６に採用するスイッチの種類としては種々の変更が可能であり、例えば、左右の各始動用スイッチＳＬ，ＳＲ、及び、左右の各移動用スイッチＬＳ，ＲＳに非接触式のものを採用するようにしてもよい。
【０１１１】
〔７〕第２補助スイッチＳ２を独立操作可能に構成してもよい。
【図面の簡単な説明】
【０１１２】
【図１】乗用型田植機の全体側面図
【図２】苗植付装置及び供給装置の側面図
【図３】苗植付装置の概略平面図
【図４】供給装置の背面図
【図５】供給装置の構成を示す要部の縦断側面図
【図６】供給装置の構成を示す要部の縦断背面図
【図７】駆動機構の構成を示す要部の縦断側面図
【図８】全条植え状態での駆動回路の状態を示す回路図
【図９】左４条植え状態での駆動回路の状態を示す回路図
【図１０】右４条植え状態での駆動回路の状態を示す回路図
【図１１】左２条植え状態での駆動回路の状態を示す回路図
【図１２】右２条植え状態での駆動回路の状態を示す回路図
【図１３】始動用スイッチの作動状態を示す要部の縦断背面図
【図１４】始動用スイッチの作動状態を示す要部の側面図
【図１５】駆動機構の構成を示す要部の展開平面図と展開正面図
【図１６】クラッチスイッチの作動状態を示す要部の正面図
【図１７】駆動機構の別構成を示す要部の展開平面図と展開正面図
【図１８】８条植え用の駆動回路図
【図１９】６条植え用の駆動回路図の比較例を示す回路図
【符号の説明】
【０１１３】
４      苗植付装置
４Ａ    植付作業部
４Ｂ    植付作業部
４Ｃ    植付作業部
１６    植え付け用作動機構
１７    苗載台
１８    植え付け用作動機構
３２    補助クラッチ
３３    補助クラッチ
３６    供給装置
５６    駆動回路
５８    左移動用回路部
５９    右移動用回路部
ＬＳ    左移動用スイッチ
ＬＳ１  左移動用スイッチ
ＬＳ２  左移動用スイッチ
ＬＳ３  左移動用スイッチ
ＲＳ    右移動用スイッチ
ＲＳ１  右移動用スイッチ
ＲＳ２  右移動用スイッチ
ＲＳ３  右移動用スイッチ
Ｓ１    第１補助スイッチ
Ｓ２    第２補助スイッチ
【図１】
2005185229.tif 000003
【図２】
2005185229.tif 000004
【図３】
2005185229.tif 000005
【図４】
2005185229.tif 000006
【図５】
2005185229.tif 000007
【図６】
2005185229.tif 000008
【図７】
2005185229.tif 000009
【図８】
2005185229.tif 000010
【図９】
2005185229.tif 000011
【図１０】
2005185229.tif 000012
【図１１】
2005185229.tif 000013
【図１２】
2005185229.tif 000014
【図１３】
2005185229.tif 000015
【図１４】
2005185229.tif 000016
【図１５】
2005185229.tif 000017
【図１６】
2005185229.tif 000018
【図１７】
2005185229.tif 000019
【図１８】
2005185229.tif 000020
【図１９】
2005185229.tif 000021